(57)【要約】      （修正有）【課題】安全性と安定性を兼ね備え、日常の使用環境変化の影響を受けず、環境にやさしく、多用途に柔軟に使用が可能な物理的補助テープを提供する。【解決手段】面ファスナーや弾性ベルトを備える、カーペットを含む繊維系床材設置用の物理的補助テープであって、弾性ベルト２は面ファスナー１に固定され、面ファスナーは弾性ベルトの両側に対称的に配置されている。クッションバックカーペットを含む繊維系床材の設置の際に、繊維系床材の端と端、コーナーとコーナーの接続と固定に役立つ。繊維系床材が無理に動かされると、面ファスナーが繊維系床材をしっかりと保持し、動力がなくなると、弾性ベルトが収縮して繊維系床材の接続を維持し、位置復元を助ける。【選択図】図１
0003226899.tif 000002
【実用新案登録請求の範囲】
【請求項１】
カーペットを含む繊維系床材の物理的補助テープであって、面ファスナーと弾性ベルトを含み、弾性ベルトは面ファスナーに固定して接続され、面ファスナーは弾性ベルトの両側に対称的に配置されている、
繊維系床材の物理的補助テープ。
【請求項２】
弾性ベルトが一文字型であり、面ファスナーの数は２つである、
請求項１に記載の繊維系床材の物理的補助テープ。
【請求項３】
弾性ベルトが十字型であり、面ファスナーの数は４つである、
請求項１に記載の繊維系床材の物理的補助テープ。
【請求項４】
材料がＰＥＴ、ＰＰまたはＰＡであり、テープの厚さが０．２〜１．５ｍｍである、
請求項１〜３の何れか１項に記載の繊維系床材の物理的補助テープ。
【請求項５】
面ファスナーに穴がある、
請求項１〜３の何れか１項に記載の繊維系床材の物理的補助テープ。
【請求項６】
穴の密度は１〜３穴／ｃｍ２である、
請求項５に記載の繊維系床材の物理的補助テープ。
【請求項７】
穴の直径が２〜５ｍｍである、
請求項５に記載の繊維系床材の物理的補助テープ。
【請求項８】
弾性ベルトの幅が０．５〜２．０ｃｍであり、厚さが０．２〜１．５ｍｍである、
請求項１〜３の何れか１項に記載の繊維系床材の物理的補助テープ。
【請求項９】
弾性ベルトと面ファスナーは縫い糸で接続されている、
請求項１に記載の繊維系床材の物理的補助テープ。
【考案の詳細な説明】
【技術分野】
【０００１】
本考案は、カーペットを含む繊維系床材の技術分野に関し、特に繊維系床材の物理的補助テープに関する。
【背景技術】
【０００２】
カーペットを含む繊維系床材は通常、オフィス空間や家の装飾、公共の場所などで使用され、温かさと快適さを感じさせる。繊維系床材の設置時には、一般的には歩行やその他の理由によるカーペット等の繊維系床材のずれを避けるために、繊維系床材用の油性接着剤、水性ラテックスなど繊維系床材の全面に粘着固定している。接着剤は強すぎるため、除去時に地面の清潔度に影響し、場合によっては地面を破壊したり、繊維系床材も破壊されたり、二次使用が難しくなることがある。さらに、一部の設置用接着剤には多量のＶＯＣ（Volatile Organic Compounds）が含まれており、大気汚染や人への不快感を引き起こすことがある。
市場には設置用接着剤に代わるテープもいくつかあり、設置当初は固定に一定の役割を果し、環境保護面も比較的考慮されている。しかし、環境温度の影響を受けやすく、簡単に高温老化を起こし、粘着力を失ったり、カーペット等の繊維系床材が不均一になったり、偶発的な傷害を引き起こす。定期的なメンテナンス、確認、更新が必要になる。
【０００３】
従って、安全性と安定性を兼ね備え、日常の使用環境変化の影響を受けず、環境にやさしい補助テープが要求される。
【考案の概要】
【考案が解決しようとする課題】
【０００４】
本考案により解決しようとする技術的問題は、従来の技術における不均一なカーペットを含む繊維系床材の設置、および粘着テープの容易な老化の問題を解決するための一種の繊維系床材設置の物理的補助テープを提供することである。
【課題を解決するための手段】
【０００５】
本考案のカーペットを含む繊維系床材設置用の物理的な補助テープは、多数の面ファスナーと弾性ベルトを含み、弾性ベルトは面ファスナーに固定して接続され、面ファスナーは弾性ベルトの両側に対称的に配置されている。
【０００６】
本考案の補助テープは目的によって異なる２種類の形状を開示しており、一つ目の形状は、図１に示されるように、弾性ベルトが一文字型で、面ファスナーの数は２つのものである。隣合わせの繊維系床材の端と端の接続と固定に適している。
【０００７】
二つ目の形状は、図３に示されるように、弾性ベルトが十字型で、面ファスナーの数は４つのものである。繊維系床材のコーナー部での接続と固定に適している。
【０００８】
前記面ファスナーの材料はPET（polyethylene terephthalate）、PP（polypropylene）またはPA（Polyamide）であり、面ファスナーの厚さは０．２〜１．５ｍｍである。
【０００９】
前記面ファスナーには多数の小さな穴がある。この多数の小さな穴が面ファスナー内で均等に分散されており、面ファスナーに柔軟性を付与する。この柔軟性により、フックと面ファスナーの表面素材が、ある程度の立体的構造（または凹凸のある）を持つ繊維系などの軟質材料に密着させやすくなる。
【００１０】
前記面ファスナーに空ける穴の密度は１〜３穴／ｃｍ２である。
【００１１】
前記面ファスナーに空ける穴の直径は２〜５ｍｍである。
【考案の効果】
【００１２】
本考案は、前記面ファスナーのフック歯面を用いて繊維系床材の表面を掴み、面ファスナーの中央にある弾性ベルトの強い張力と反発力を備えている。カーペット等の繊維系床材が無理に動かされると、面ファスナーが繊維系床材をしっかりと掴み、動力がなくなると、弾性ベルトが収縮して繊維系床材の位置復元を助ける。
【図面の簡単な説明】
【００１３】
【図１】本考案の実施の形態に係る繊維系床材の物理的な補助テープの一例を示す正面図である。
【図２】本考案の実施の形態に係る繊維系床材の物理的な補助テープの他の例を示す正面図である。
【図３】図１に示す補助テープを繊維系床材に使用した例を示す図である。
【図４】図２の示す補助テープを繊維系床材に使用した例を示す図である。
【考案を実施するための形態】
【００１４】
以下、本考案の実施例を、図面を参照して、実施例の技術態様を明確且つ完全に説明する。当業者が、本考案の原理と技術思想の範囲内において、これらの実施形態に対し、さまざまな変更、修正、差し替え、変形を加えても、いずれも本考案の保護範囲内に含まれる。
【００１５】
本考案は、多数の面ファスナーおよび弾性ベルトを含む繊維系床材の物理的補助テープに関するものである。弾性ベルトは面ファスナーに固定して接続され、面ファスナーは弾性ベルトの両側に対称的に配置されている。
【００１６】
本考案は、カーペットを含む繊維系床材の設置ニーズに応じて、繊維系床材の端と端、コーナーとコーナーの接続と固定に適用できる。
【００１７】
図１に示しているのは、繊維系床材の端と端の接続、接着、固定に適した本考案の一文字型（弾性ベルト）の物理的補助テープである。
【００１８】
図２に示しているのは、本考案一文字型タイプ（弾性ベルト）の物理的補助テープのカーペットを含む繊維系床材における使用例である。
【００１９】
図３に示しているのは、カーペットを含む繊維系床材の端と端の接続、接着、固定に適した本考案の十字型（弾性ベルト）の物理的補助テープである。
【００２０】
図４に示しているのは、本考案十字型タイプ（弾性ベルト）の物理的補助テープのカーペットを含む繊維系床材における使用例である。
【００２１】
図１〜４において、１は面ファスナー、２は弾性ベルト、３は縫い糸である。
【００２２】
本考案の物理的補助テープの構造と近い構造も本考案の保護範囲内に含まれる。
【符号の説明】
【００２３】
１：面ファスナー
２：弾性ベルト
３：縫い糸
【図１】
0003226899.tif 000003
【図２】
0003226899.tif 000004
【図３】
0003226899.tif 000005
【図４】
0003226899.tif 000006